(57)【要約】【課題】上から降ろす作業を行うことで足場パネル同士を連結することができて、この連結作業を短時間で容易に行える足場パネル用連結具を提供すること。【解決手段】連結具５５は、左右方向と前後方向のうち、互いに一方の方向に隣接配置される２個の足場パネルを連結するもので、２個の足場パネルのそれぞれに長さ方向が左右方向と前後方向のうち、他方の方向となって設けられた横架部材１３，１４を保持するための２個の保持手段となっている挟着部５８とフック部５９を有する。フック部５９は、横架部材１３，１４の少なくとも一部を嵌入する凹部６７Ａを下向きに開口して形成したフック部材６７にロック部材６８を遊動可能に配置したもので、この遊動により、ロック部材６８は凹部６７Ａの開口部の少なくとも一部を閉じかつこの開口部を開け、ロック部材６８が開口部の少なくとも一部を閉じることで横架部材１３，１４は係止ロック状態で保持される。【選択図】図１７
2020033727.tif 000002
【特許請求の範囲】
【請求項１】
仮設足場を形成するために左右方向と前後方向のうち、互いに一方の方向に隣接配置される２個の足場パネルを連結するための連結具であって、前記２個の足場パネルのそれぞれに長さ方向が前記左右方向と前記前後方向のうち、他方の方向となって設けられている横架部材を保持するための２個の保持手段を有する足場パネル用連結具において、
前記２個の保持手段のうち、少なくとも一方の保持手段は、この保持部材により保持される前記横架部材の少なくとも一部が嵌入可能となっている凹部が下向きに開口して形成されていて、この嵌入により前記横架部材に係止されるフック部材と、このフック部材に、前記凹部の開口部の少なくとも一部を閉じ、かつこの開口部を開けるために遊動自在に配置されていて、前記開口部の少なくとも一部を閉じることにより前記凹部で前記横架部材を係止ロック状態で保持させるためのロック部材とを含んで構成されていることを特徴とする足場パネル用連結具。
【請求項２】
請求項１に記載の足場パネル用連結具において、前記フック部材と前記ロック部材のそれぞれは、前記横架部材の前記長さ方向に複数個設けられ、複数個の前記ロック部材は、前記横架部材の前記長さ方向の寸法を有する架け渡し部材により連結されていることを特徴とする足場パネル用連結具。
【請求項３】
請求項２に記載の足場パネル用連結具において、前記複数個のロック部材を連結している前記架け渡し部材は、それぞれのロック部材の下部を連結していることを特徴とする足場パネル用連結具。
【請求項４】
請求項３に記載の足場パネル用連結具において、前記架け渡し部材は、厚さ方向が上下方向であって、幅方向が前記２個の足場パネルの隣接配置方向になっているものであることを特徴とする足場パネル用連結具。
【請求項５】
請求項３に記載の足場パネル用連結具において、前記架け渡し部材は、厚さ方向が前記２個の足場パネルの隣接配置方向であって、幅方向が上下方向となっているものであることを特徴とする足場パネル用連結具。
【請求項６】
請求項５に記載の足場パネル用連結具において、前記架け渡し部材の前記幅方向の上側の端部は、前記横架部材に接触可能となっていることを特徴とする足場パネル用連結具。
【請求項７】
請求項２〜６のいずれかに記載の足場パネル用連結具において、前記フック部材と前記ロック部材のそれぞれの個数は２個であり、２個の前記ロック部材と前記架け渡し部材は、金属板の打ち抜き及び折り曲げ加工により形成された１個の製品となっており、前記ロック部材と前記架け渡し部材との接続部がこの製品の折り曲げ部となっていることを特徴とする足場パネル用連結具。
【請求項８】
請求項１〜７のいずれかに記載の足場パネル用連結具において、前記２個の保持手段のうち、他方の保持手段は、前記２個の足場パネルのうち、一方の足場パネルに設けられている前記横架部材に取り付け、取り外し可能となっている挟着部になっていることを特徴とする足場パネル用連結具
【請求項９】
請求項１〜７のいずれかに記載の足場パネル用連結具において、前記２個の保持手段のうち、他方の保持手段は、前記２個の足場パネルのうち、一方の足場パネルに設けられている前記横架部材に結合一体化された結合部となっていることを特徴とする足場パネル用連結具。
【発明の詳細な説明】
【技術分野】
【０００１】
本発明は、仮設足場を形成するための足場パネル同士を連結するための連結具に係り、例えば、高速道路や橋などの橋梁や建物等の補修、点検作業等に用いられる仮設吊り足場を形成するための足場パネルに利用できるものである。
【背景技術】
【０００２】
下記の特許文献１及び特許文献２には、高速道路などの橋梁や建物等の補修、点検のための作業等を実施するために、作業現場で仮設吊り足場が構築されることが示されている。このような仮設吊り足場は、それぞれが吊り下げ部材によって吊り下げられる複数個の足場パネルを左右方向や前後方向に並設することで形成されるとともに、左右方向と前後方向のうち、一方の方向に隣接配置される足場パネル同士は、これらの足場パネルに左右方向と前後方向のうち、他方の方向が長さ方向となって設けられた横架部材を保持するための２個の保持手段を有する連結具により連結されている。
【先行技術文献】
【特許文献】
【０００３】
【特許文献１】特開平４−１４０３６３号公報
【特許文献２】特開２０１５−８１４５６号公報
【発明の概要】
【発明が解決しようとする課題】
【０００４】
上述したように左右方向と前後方向のうち、一方の方向に隣接配置される足場パネル同士を、これらの足場パネルに左右方向と前後方向のうち、他方の方向が長さ方向となって設けられた横架部材を保持するための２個の保持手段を有する連結具により連結する場合には、連結具を上から降ろす作業を行うことによって足場パネル同士を連結することができれば、この連結作業を短時間で容易に行える。
【０００５】
本発明の目的は、上から降ろす作業を行うことで足場パネル同士を連結することができて、この連結作業を短時間で容易に行えるようになる足場パネル用連結具を提供するところにある。
【課題を解決するための手段】
【０００６】
本発明に係る足場パネル用連結具は、仮設足場を形成するために左右方向と前後方向のうち、互いに一方の方向に隣接配置される２個の足場パネルを連結するための連結具であって、前記２個の足場パネルのそれぞれに長さ方向が前記左右方向と前記前後方向のうち、他方の方向となって設けられている横架部材を保持するための２個の保持手段を有する足場パネル用連結具において、前記２個の保持手段のうち、少なくとも一方の保持手段は、この保持部材により保持される前記横架部材の少なくとも一部が嵌入可能となっている凹部が下向きに開口して形成されていて、この嵌入により前記横架部材に係止されるフック部材と、このフック部材に、前記凹部の開口部の少なくとも一部を閉じ、かつこの開口部を開けるために遊動自在に配置されていて、前記開口部の少なくとも一部を閉じることにより前記凹部で前記横架部材を係止ロック状態で保持させるためのロック部材とを含んで構成されていることを特徴とするものである。
【０００７】
このように本発明に係る足場パネル用連結具は、２個の足場パネルのそれぞれに設けられている横架部材を保持するための２個の保持手段を有しており、これらの保持手段のうち、少なくとも一方の保持手段は、この保持部材により保持される横架部材の少なくとも一部が嵌入可能となっている凹部が下向きに開口して形成されていて、この嵌入により横架部材に係止されるフック部材と、このフック部材に、凹部の開口部の少なくとも一部を閉じ、かつこの開口部を開けるために遊動自在に配置されていて、開口部の少なくとも一部を閉じることにより凹部で横架部材を係止ロック状態で保持させるためのロック部材とを含んで構成されているため、フック部材とロック部材とを含んで構成されている保持手段に横架部材を保持させて足場パネル同士を連結するための作業を、連結具を上から降ろす作業によって行えることになり、このため、足場パネル同士を連結する作業を短時間で容易に実施することができる。
【０００８】
なお、以上の本発明に係る足場パネル用連結具は、２個の保持手段のそれぞれを、前記フック部材と前記ロック部材とを含んで構成されたものとしてもよく、あるいは、２個の保持手段のうちの１個の保持手段だけを、前記フック部材と前記ロック部材とを含んで構成されたものとしてもよい。
【０００９】
また、上から降ろす作業が行われるときにおける本発明に係る足場パネル用連結具は、この足場パネル用連結具により連結される前記２個の足場パネルのうちの１個の足場パネルに予め取り付けられるものとなっていて、この足場パネルと共に上から降ろされるようになっていてもよく、あるいは、本発明に係る足場パネル用連結具だけを上から降ろすようにしてもよい。
【００１０】
さらに、本発明に係る足場パネル用連結具において、前記フック部材と前記ロック部材のそれぞれの個数は、１個でもよく、あるいは、これらのそれぞれの個数を、横架部材の長さ方向に設けられた複数個としてもよい。
【００１１】
後者のようにフック部材とロック部材のそれぞれの個数を、横架部材の長さ方向に設けられた複数個とする場合には、複数個のロック部材を、横架部材の長さ方向の寸法を有する架け渡し部材により連結してもよい。
【００１２】
これによると、ロック部材の個数を、横架部材の長さ方向に設けられた複数個としても、これらのロック部材は、横架部材の長さ方向の寸法を有する架け渡し部材により連結されているため、１個のロック部材を操作すると、他のロック部材は連動することになり、このため、それぞれのロック部材をフック部材に対して遊動させるためのロック部材の操作を容易に行えるようになる。
【００１３】
なお、このような作用効果を得られる架け渡し部材は、複数個のロック部材の下部を連結するものでもよく、複数個のロック部材の上部を連結するものでもよい。
【００１４】
架け渡し部材を、複数個のロック部材の下部を連結するものとする場合には、この架け渡し部材を、厚さ方向が上下方向であって、幅方向が前記２個の足場パネルの隣接配置方向になっているものとしてもよく、あるいは、厚さ方向が前記２個の足場パネルの隣接配置方向であって、幅方向が上下方向となっているものとしてもよい。
【００１５】
そして、後者のように架け渡し部材を、厚さ方向が前記２個の足場パネルの隣接配置方向であって、幅方向が上下方向となっているものとする場合には、この架け渡し部材の幅方向の上側の端部が前記横架部材に接触可能となっていてもよい。
【００１６】
このように架け渡し部材の幅方向の上側の端部が前記横架部材に接触可能となっていると、架け渡し部材は横架部材の長さ方向の寸法を有しているため、この寸法分だけロック部材による横架部材の係止ロック状態を一層強固にして実現できることになる。
【００１７】
また、ロック部材の個数を、横架部材の長さ方向に設けられた２個とする場合であって、これらのロック部材を、横架部材の長さ方向の寸法を有する架け渡し部材により連結する場合には、これらのロック部材と架け渡し部材を溶接等で結合された複数の製品からなるものとしてもよいが、２個のロック部材と架け渡し部材を、金属板の打ち抜き及び折り曲げ加工により形成された１個の製品とし、ロック部材と架け渡し部材との接続部をこの製品の折り曲げ部とすることが好ましい。
【００１８】
これによると、２個のロック部材と架け渡し部材を容易に製造することができる。
【００１９】
また、以上の本発明に係る足場パネル用連結具において、前記２個の保持手段のうち、他方の保持手段は、前記２個の足場パネルのうち、一方の足場パネルに設けられている前記横架部材に取り付け、取り外し可能となっている挟着部としてもよく、あるいは、前記２個の足場パネルのうち、一方の足場パネルに設けられている横架部材に溶接等で結合一体化された結合部としてもよい。
【００２０】
以上説明した本発明に係る足場パネルは、吊り下げ部材により吊り下げられることにより仮設吊り足場を形成するものでもよく、あるいは、支柱や建枠等で形成された枠状構造体に載置されることにより仮設足場を形成するものでもよい。
【発明の効果】
【００２１】
本発明によると、連結具を上から降ろす作業を行うことで足場パネル同士をこの連結具により連結することができて、この連結作業を短時間で容易に行えるという効果を得られる。
【図面の簡単な説明】
【００２２】
【図１】図１は、それぞれが吊り下げ部材で吊り下げられる複数個の足場パネルによって形成される仮設吊り足場の全体概略を示す斜視図である。
【図２】図２は、図１の仮設吊り足場を、吊り下げ部材を省略して示した全体概略の平面図である。
【図３】図３は、開口部が形成されたときの仮設吊り足場を示す図２と同様の図である。
【図４】図４は、第１足場パネルを示す平面図である。
【図５】図５は、第２足場パネルを示す平面図である。
【図６】図６は、第３足場パネルを示す平面図である。
【図７】図７は、第４足場パネルを示す平面図である。
【図８】図８は、第４足場パネルの斜視図である。
【図９】図９は、それぞれの足場パネルに開閉自在に設けられている蓋部材を閉じたときにロックするためのロック具を示す縦断面図である。
【図１０】図１０は、第１足場パネルと第２足場パネルに設けられている第１接続部材を示す正面図である。
【図１１】図１１は、第１足場パネルと第３足場パネルに設けられている第２接続部材を示す正面図である。
【図１２】図１２は、第１接続部材の上に第２接続部材を載置したときの状態を示す縦断面図である。
【図１３】図１３は、２個の第１足場パネルを、第１接続部材の上に第２接続部材を載置して左右方向に隣接配置したときの状態を示す平面図である。
【図１４】図１４は、２個の第１足場パネルを接続するための接続具を示す図であって、この接続具により、左右方向に隣接配置された２個の第１足場パネルを接続したときの状態を示す縦断面図である。
【図１５】図１５は、前後方向に配置される２個の第１足場パネルや、第１足場パネルと第２足場パネル、第１足場パネルと第３足場パネルを連結するための第１連結具を、２個の第１足場パネルを連結したときの状態で示した縦断面図である。
【図１６】図１６は、第１足場パネルと第４足場パネルを連結するための第２連結具を示す全体斜視図である。
【図１７】図１７は、第２連結具の正面図である。
【図１８】図１８は、第２連結具の平面図である。
【図１９】図１９は、第２連結具の第１作動時の状態を示す正面図である。
【図２０】図２０は、第２連結具の第２作動時の状態を示す正面図である。
【図２１】図２１は、左右方向に配置される第２足場パネルと第３足場パネルと第４足場パネルの位置関係を示す平面図である。
【図２２】図２２は、第１足場パネルと第４足場パネルが第２連結具により前後方向に連結されたときの状態を示す斜視図である。
【図２３】図２３は、２個の第１足場パネルの間に配置された第４足場パネルが、これらの第１足場パネルに第２連結具により前後方向に連結されたときの状態を示す要部の拡大縦断面図である。
【図２４】図２４は、複数個の第４足場パネルを上下に段積みしたときの状態を示す側面図である。
【図２５】図２５は、別実施形態に係る第２連結具を示す図１７と同様の図である。
【図２６】図２６は、さらに別実施形態に係る第２連結具を示す図２３と同様の図である。
【発明を実施するための形態】
【００２３】
以下に本発明を実施するための形態を図面に基づいて説明する。図１には、それぞれがチェーン等による吊り下げ部材５により吊り下げられてそれぞれ水平方向である左右方向及び前後方向に並設されることで仮設吊り足場６を形成している複数個の足場パネルが示されている。これらの足場パネルには、第１足場パネル１と、第２足場パネル２と、第３足場パネル３と、第４足場パネル４とがある。図２には、これらの足場パネル１〜４により形成された仮設吊り足場６の全体概略の平面図が、吊り下げ部材５が省略されて示されており、また、図３には、図２の仮設吊り足場６から３個の第４足場パネル４が取り外されることにより、仮設吊り足場６に、建材や機材等の物品を通す等のために用いることが可能となった開口部７が上下に貫通して形成されている状態の全体概略の平面図が示されている。
【００２４】
図４は、第１足場パネル１の平面図であり、図５〜図７には、第２〜第４足場パネル２〜４の平面図が示されている。これらの第１〜第４足場パネル１〜４は、後述する第１接続部材３５と第２接続部材３６及び第１連結具４４と第２連結具５５を除いたパネル本体についての平面視での全体形状の外輪郭部が矩形の形状となっているものであり、一層具体的には、これらの足場パネル１〜４のパネル本体についての平面視での全体形状の外輪郭部は、足場パネル１〜４により図１及び図２の仮設吊り足場６が形成されたときにおいて、この仮設吊り足場６の左右方向となる方向が短辺部となっていて、仮設吊り足場６の前後方向となる方向が長辺部となっている長方形をなすものとなっており、また、これらの足場パネル１〜４のパネル本体についての平面視での大きさは、それぞれ同じになっている。このため、それぞれの足場パネル１〜４のパネル本体において、平面視での全体形状の外輪郭部における短辺部の長さ寸法は同じであり、長辺部の長さ寸法も同じである。また、これらの足場パネル１〜４における上下方向の厚さ寸法も同じになっている。
【００２５】
このため、これらの足場パネル１〜４を左右方向及び前後方向に並設することにより形成される仮設吊り足場６を、それぞれの足場パネル１〜４を左右方向と前後方向に一致させ、また、上下方向にも一致させて形成できるようになっている。
【００２６】
第１〜第４足場パネル１〜４の基本構造は同じであるため、次に、第１〜第４足場パネル１〜４についての共通している構造を図４〜図７より説明する。
【００２７】
第１〜第４足場パネル１〜４の長辺部は、開口側を互いに向かい合う内側としている２本のチャンネル材による長辺部材１１，１２により形成されており（図９も参照）、図４〜図７に示されているように、これらの長辺部材１１，１２の長さ方向の両端部同士の間又は両端部の近傍同士の間には、上記長辺部と直角をなす短辺部の長さ方向がそれぞれの長さ寸法の方向となっている横架部材１３，１４が架け渡され、長辺部材１１，１２と横架部材１３，１４との接続は、横架部材１３，１４の長さ方向の両端部に溶接で結合された端部部材１５を長辺部材１１，１２に溶接で接合することにより行われている。これらの横架部材１３，１４の間には、丸パイプ材による架け渡し部材１６が長辺部材１１，１２と平行に架け渡され、この架け渡し部材１６の両端部は、横架部材１３，１４に溶接で結合された端部部材１７となっており、これらの架け渡し部材１６と端部部材１７は、足場パネル１〜４の短辺部の長さ方向の中央部に配置されている。
【００２８】
なお、上記短辺部での水平方向の長さを有するそれぞれの横架部材１３，１４は、直径が同じになっている２本の丸パイプ材で形成されているため、これらの横架部材１３，１４は、長さ方向と直交する方向の断面が円形となった円形断面部材となっている。
【００２９】
それぞれの足場パネル１〜４の長辺部材１１，１２の上面には、足場パネル１〜４の長辺部よりも長さ寸法が短い長方形の金属板で形成されている表面部材１８が被せられ、この表面部材１８の短辺部の長さ方向の両端部が長辺部材１１，１２の上面に溶接又はビス等で結合されているとともに、表面部材１８の長辺部の長さ方向の両端部は、横架部材１３，１４よりも足場パネル１〜４の内側において、長辺部材１１，１２と架け渡し部材１６との間に固定配置されたチャンネル材等によるバー状の中間部材１９に溶接又はビス等で結合されている。これにより、表面部材１８が配置されている足場パネル１〜４の上面は、作業者が乗って作業等を行うための水平の作業面となっている。
【００３０】
中間部材１９には、ヒンジ２０により蓋部材２１が開閉自在に取り付けられ、それぞれの足場パネル１〜４の長辺部の長さ方向の両端側に配置されているこれらの蓋部材２１が閉じられることにより、表面部材１８によって覆われていない足場パネル１〜４の長辺部の長さ方向の両端側の開口部が蓋部材２１により覆われるようになっており、これらの開口部を覆った蓋部材２１は、架け渡し部材１６の両端部に設けられている端部部材１７によって下側から支持されて、蓋部材２１の上にも作業者が乗って作業等を行えるようになる。なお、蓋部材２１についての足場パネル１〜４の短辺部の長さ方向の寸法を大きくすることにより、蓋部材２１を閉じときに、長辺部材１１，１２の上面によっても蓋部材２１を下側から支持できるようにしてもよい。
【００３１】
蓋部材２１を開けたときに露出する足場パネル１〜４の内部には、長辺部材１１側の２個の保持部材２２と、長辺部材１２側の２個の保持部材２３とが中間部材１９に取り付けられて配置されており、それぞれが角パイプ材で形成されていて、互いに足場パネル１〜４の長辺部の長さ方向における同じ位置に配置されているこれらの保持部材２２，２３の外面には、長寸法ナット２４が鉛直の向きとなって溶接で結合され、それぞれの蓋部材２１には、これらの蓋部材２１を閉じたときに長寸法ナット２４を露出させるための孔２１Ａが形成されている。また、表面部材１８には、架け渡し部材１６に結合されている吊りリング部材２５を露出させるための長孔１８Ａが形成されている。さらに、それぞれの蓋部材２１には、蓋部材２１を閉じたときに、蓋部材２１をロック状態とするためのロック具２６が設けられている。
【００３２】
このロック具２６は、図９に示されている。ロック具２６は、蓋部材２１を貫通した回動自在の軸部材２９と、蓋部材２１の表裏両面側において、軸部材２９の両端部にそれぞれの長さ方向の一端部が結合されている２個の挟着部材３０，３１とを含んで構成されている。蓋部材２１の表側に配置されている挟着部材３０の操作により軸部材２９を回動させると、２個の挟着部材３０，３１も回動し、これらの挟着部材３０，３１が、チャンネル材で形成されている長辺部材１１，１２の上側フランジ部１１Ａ，１２Ａを上下から挟着することにより、長辺部材１１，１２に対して閉じられている蓋部材２１は、ロック具２６によりロックされた状態となる。
【００３３】
図１〜図３で示されている第１〜第４足場パネル１〜４のうち、２個の第１足場パネル１Ａと、これらの第１足場パネル１Ａの間に配置されている１個の第３足場パネル３は、仮設吊り足場６を形成する際に、吊り下げ部材５で吊り下げられて最初に配置されるスターターパネルである。これらのスターターパネルにおける閉じた蓋部材２１の孔２１Ａから露出した長寸法ナット２４には、パイプ材による棒状部材２７を挟持するためのクランプ２８に結合されている雄ねじ棒が螺入され、これらのクランプ２８によりスターターパネルに取り付けられた棒状部材２７に図１の吊り下げ部材５が掛け回されることにより、スターターパネルは仮設吊り足場６の設置現場に吊り下げられる。図１〜図３で示されている第１〜第４足場パネル１〜４のうち、スターターパネルを除く足場パネルの表面部材１８の長孔１８Ａから露出している吊りリング部材２５にも、吊り下げ部材５が掛け回され、これにより、スターターパネルを除く足場パネルも仮設吊り足場６の設置現場で吊り下げられて、仮設吊り足場６を形成するようになっている。
【００３４】
また、足場パネル１〜４のそれぞれについて、図１０に示されているように、長辺部材１１には、角パイプ材で形成されている前述の保持部材２２の端部を露出させるための孔１１Ｂが形成されており、図１１に示されているように、長辺部材１２にも、角パイプ材で形成されている保持部材２３の端部を露出させるための孔１２Ｂが形成されている。
【００３５】
次に、第１〜第４足場パネル１〜４のそれぞれについての特有の構造を説明する。
【００３６】
最初に図４に示されている第１足場パネル１についての特有の構造を説明すると、第１足場パネル１の内部において、１本の長辺部材１１側に２個設けられた保持部材２２のそれぞれと一致する箇所には、第１接続部材３５が配置されているとともに、１本の長辺部材１２側に２個設けられた保持部材２３のそれぞれと一致する箇所には、第２接続部材３６が配置されている。このため、第１足場パネル１における互い平行となっている２個の長辺部のうち、一方の長辺部には２個の第１接続部材３５が設けられているとともに、他方の長辺部には２個の第２接続部材３６が設けられており、このため、第１足場パネル１は、接続部材付き足場パネルとなっている。これらの第１及び第２接続部材３５，３６についての第１足場パネル１における配置は、第１及び第２接続部材３５，３６を、前述したように、第１及び第２接続部材３５，３６を除くと平面視での全体形状が矩形となっている第１足場パネル１のパネル本体の外輪郭部から外部へ水平方向に突出させて行われており、このために、第１接続部材３５の基部を保持部材２２の内部で保持部材２２に固定しており、また、第２接続部材３６の基部を保持部材２３の内部で保持部材２３に固定しており、第１及び第２接続部材３５，３６の先端側は、これらの接続部材３５，３６を除くと平面視での全体形状が長方形となっている第１足場パネル１のパネル本体の外輪郭部から外部へ突出している。
【００３７】
図１０には、保持部材２２の内部で基部が保持部材２２に固定されていることで長辺部材１１に設けられている第１接続部材３５の正面図が示されており、この図１０に示されているように、第１接続部材３５は、上部において、上向きに開いたＶ字状の溝部３５Ａを有するものとなっている。また、図１１には、保持部材２３の内部で基部が保持部材２３に固定されていることで長辺部材１２に設けられている第２接続部材３６の正面図が示されており、この図１１に示されているように、第２接続部材３６は、下部において、下向きにＶ字状となった突部３６Ａを有するものとなっている。
【００３８】
このため、図１〜図３の仮設吊り足場６を形成するために、図１の吊り下げ部材５で吊り下げされた２個の第１足場パネル１を、図１３で示されているように、これらの第１足場パネル１の短辺部の長さ方向である左右方向に並設するときには、図１２に示されているように、一方の第１足場パネル１に設けられている第１接続部材３５の溝部３５Ａの上に、他方の第１足場パネル１に設けられた第２接続部材３６の突部３６Ａを載置する。そして、これらの第１足場パネル１を近づけることにより、第２接続部材３６の突部３６Ａを第１接続部材３５の溝部３５Ａの上に載置した状態を維持させて、第２接続部材３６の先部を上記一方の第１足場パネル１の内部に挿入し、これにより、２個の第１足場パネル１をすき間がない又は殆どない状態で左右方向に隣接配置する。
【００３９】
なお、本実施形態の第１足場パネル１に設けられている第１及び第２接続部材３５，３６は、前述したように、これらの接続部材３５，３６を除くと平面視での全体形状が長方形となっている第１足場パネル１のパネル本体の外輪郭部から外部へ突出しているため、上述したように、それぞれの第１足場パネル１をこれらの第１足場パネル１の短辺部の長さ方向である左右方向に並設する作業を行う際に、一方の第１足場パネル１に設けられた第１接続部材３５の上に、他方の第２足場パネル１に設けられた第２接続部材３６を載置することができる。これにより、上記他方の第１足場パネル１の重量を上記一方の第１足場パネル１で支持させることができるため、これらの第１足場パネル１をすき間がない又は殆どない状態で左右方向に隣接配置するための作業を容易に行える。
【００４０】
図１４には、以上のようにして２個の第１足場パネル１をすき間がない又は殆どない状態で左右方向に隣接配置した後に、これらの第１足場パネル１同士を接続するための接続具３７が示されている。この接続具３７は、図１３に示されているように、それぞれの第１足場パネル１の長辺部材１１において、それぞれの第１接続部材３５の配置箇所と対応する箇所に配置されている。図１４により接続具３７を説明すると、接続具３７は、長辺部材１１の上側フランジ部１１Ａに形成された孔１１Ｃに上下に挿入された回動中心軸３８と、ボルトで形成されているこの回動中心軸３８が孔１１Ｃから抜け出すことを防止するために、回動中心軸３８の下部の雄ねじ部に螺合されたナット３９と、長辺部材１１の上側フランジ部１１Ａから突出している回動中心軸３８の上部に長さ方向の一方の端部が溶接等で結合されているアーム部材４０と、このアーム部材４０の長さ方向の他方の端部に形成された孔４０Ａに上から挿入され、頭部４１Ａがアーム部材４０の上面に当接しているボルト４１と、このボルト４１が孔４０Ａから抜け出すことを防止するために、ボルト４１に係止されたＥ型リング等による係止部材４２とを含んで構成されたものとなっている。このため、接続具３７は、回動中心軸３８の長さ方向におけるナット３９とアーム部材４０との間隔分だけ、長辺部材１１の上側フランジ部１１Ａに対して上下方向に移動可能となっている。
【００４１】
前述したように、２個の第１足場パネル１をすき間がない又は殆どない状態で左右方向に隣接配置する以前における接続具３７は、回動中心軸３８を中心に回動操作されることにより、ボルト４１の位置が第１及び第２接続部材３５，３６から離れた位置となった回動退避状態にある。接続具３７がこの回動退避状態にあるとき、ボルト４１の雄ねじ軸部４１Ｂを挿入できる孔を長辺部材１１の上側フランジ部１１Ａに設けることにより、接続具３７を、アーム部材４０がこの上側フランジ部１１Ａの上に載せられる下降状態にできるようにしてもよい。
【００４２】
前述したように、第２接続部材３６の突部３６Ａを第１接続部材３５の溝部３５Ａの上に載置した状態を維持させて、この第２接続部材３６の先部を、前記一方の第１足場パネル１の内部に挿入し、これにより、２個の第１足場パネル１をすき間がない又は殆どない状態で左右方向に隣接配置した後に、図１４の二点鎖線で示されているように、アーム部材４０を長辺部材１１よりも上側に上昇させて、接続具３７を回動中心軸３８を中心に回動させる。これにより、ボルト４１の雄ねじ軸部４１Ｂの位置を長辺部材１１の上側フランジ部１１Ａに形成された孔１１Ｄの位置と一致させた後に、接続具３７を下降させ、これにより、雄ねじ軸部４１Ｂを孔１１Ｄに上から挿入して、前述の保持部材２２の上面に形成されている孔２２Ａにも上から挿入し、さらに、第２接続部材３６に形成されている雌ねじ孔３６Ｂに到達させる。この後に、ボルト４１を頭部４１Ａに係合させた工具等で回転させると、雄ねじ軸部４１Ｂは雌ねじ孔３６Ｂに螺入する。
【００４３】
これにより、すき間がない又は殆どない状態で左右方向に隣接配置された２個の足場パネル１は、第１接続部材３５の上に載置された第２接続部材３６と、この第２接続部材３６の雌ねじ孔３６Ｂに螺入された雄ねじ軸部４１Ｂを有するボルト４１が設けられている接続具３７とにより接続されることになる。もちろん、ボルト４１を頭部４１Ａに係合させた工具等で逆回転させると、雄ねじ軸部４１Ｂを雌ねじ孔３６Ｂから脱出させることができるため、２個の足場パネル１を分離させることもできる。
【００４４】
次に、図５により第２足場パネル２についての特有の構造を説明すると、この第２足場パネル２は、図４に示されている第１足場パネル１と比較すると、第１接続部材３５は設けられているが、第２接続部材３６は設けられておらず、また、接続具３７も設けられていないものとなっている。また、図６により第３足場パネル３についての特有の構造を説明すると、この第３足場パネル３は、第１足場パネル１と比較すると、第２接続部材３６は設けられているが、第１接続部材３５は設けられておらず、また、接続具３７も設けられていないものとなっている。さらに、図７により第４足場パネル４についての特有の構造を説明すると、この第４足場パネル４は、第１足場パネル１と比較すると、第１接続部材３５と第２接続部材３６の両方が設けられておらず、接続具３７も設けられていないものとなっている。このため、第４足場パネル４は、接続部材無し足場パネルとなっており、このような第４足場パネル４についての全体斜視図は、図８に示されている。
【００４５】
以上の説明から分かるように、本実施形態に係る第１〜第４足場パネル１〜４は、第１及び第２接続部材３５，３６と接続具３７とを除くと、基本構造は同じである。また、これらの足場パネル１〜４は、前述したように、第１及び第２接続部材３５，３６を除くパネル本体についての平面視での全体形状が矩形の長方形となっているとともに、この長方形の長辺部の長さ寸法は、それぞれの足場パネル１〜４について同じであって、短辺部の長さ寸法も、それぞれの足場パネル１〜４について同じであり、しかも、上下方向の厚さ寸法も、それぞれ足場パネル１〜４について同じになっているため、第１〜第４足場パネル１〜４を、長辺部材１１，１２や横架部材１３，１４等の構成部材を共通化して安価に多数製造することができる。
【００４６】
図１５には、図１〜図３の仮設吊り足場６を形成するために、２個の第１足場パネル１をこれらの第１足場パネル１の長辺部の長さ方向である前後方向に並設し、かつ、これらの第１足場パネル１同士を第１連結具４５により連結したときの状態が示されている。この第１連結具４５は、前後方向に並設される２個の足場パネル１のうち、前側の第１足場パネル１に設けられている横架部材１４と、後側の第１足場パネル１に設けられている横架部材１３とを連結するものとなっており、一層具体的には、第１連結具４５は、横架部材１３，１４を挟着、保持するための２個のクランプ４６が結合部材４７で結合されたものとなっている。それぞれのクランプ４６は、互いに結合部材４７で結合された第１挟着部材４８と、これらの第１挟着部材４８の一方の端部に基端部が軸４９で回動自在に連結されたボルト５０と、第１挟着部材４８の他方の端部に基端部が軸５１で回動自在に連結された第２挟着部材５２と、これらの第２挟着部材５２の先端部に形成されている二股部に挿入されるボルト５０に螺合され、締め付けられることにより、第１挟着部材４８と第２挟着部材５２とによって横架部材１３，１４を挟着させるためのナット５３とを含んで構成されている。
【００４７】
このような第１連結具４５は、横架部材１３，１４の長さ方向となっている第１足場パネル１の短辺部の長さ方向に複数個、例えば、図４で示されている架け渡し部材１６の端部部材１７の両側において、２個配置され、これにより、前後方向に並設される２個の足場パネル１が連結される。
【００４８】
また、図１５では、２個の第１足場パネル１をこれらの第１足場パネル１の長辺部の長さ方向である前後方向に並設したときに、これらの第１足場パネル１同士を第１連結具４５によって連結したときの状態が示されているが、第１連結具４５は、図１〜図３の仮設吊り足場６を形成するために、それぞれの足場パネルの長辺部の長さ方向である前後方向に並設される第１足場パネル１と第２足場パネル２とを連結するためにも、また、第１足場パネル１と第３足場パネル３とを連結するためにも用いられる。もちろん、この第１連結具４５は、ナット５３を緩めることにより、２個のクランプ４６の第１挟着部材４８と第２挟着部材５２による横架部材１３，１４の挟着、保持を解除することができるため、この第１連結具４５で連結された２個の足場パネルを分離することもできる。
【００４９】
図１６には、図１〜図３の仮設吊り足場６を形成するために、それぞれが水平方向となっている左右方向と前後方向のうち、それぞれの足場パネルの長辺部の長さ方向である前後方向に隣接配置される第１足場パネル１と第４足場パネル４とを連結するための第２連結具５５の全体斜視図が示され、図１７には、この第２連結具５５の正面図が示され、図１８には、第２連結具５５の平面図が示されている。
【００５０】
後述する挟着部５８により第４足場パネル４に対して取り付け、取り外し可能となっている第２連結具５５は、第１足場パネル１と第４足場パネル４の長辺部の長さ方向が長さ寸法の方向となっている本体部材５６を有するものとなっており、この本体部材５６は、第１足場パネル１と第４足場パネル４の短辺部の長さ方向に平行に２個設けられている。これらの本体部材５６は、本体部材５６の長さ方向の一方の側において、底面部材５７により連結されており、そして、これらの本体部材５６と底面部材５７は、金属板の打ち抜き及び折り曲げ加工により形成された１個の製品となっていて、本体部材５６と底面部材５７との接続部がこの製品の折り曲げ部となっている。また、それぞれの本体部材５６の長さ方向における底面部材５７が設けられている側は、第４足場パネル４の横架部材１３，１４を挟着するための挟着部５８となっており、また、それぞれ本体部材５６の長さ方向における底面部材５７が設けられている側とは反対側は、第１足場パネル１の横架部材１３，１４を係止してロックするためのフック部５９となっている。
【００５１】
第２連結具５５の挟着部５８は、２個の本体部材５６による下側の第１挟着部材６０と、この第１挟着部材６０に、フック部５９側の基端部が軸６１で上下に回動自在に連結された上側の第２挟着部材６２と、第１挟着部材６０に下端部が軸６３で回動自在に連結された雄ねじ軸部材６４と、第２挟着部材６２の先端部に形成された二股部６２Ｂに挿入される雄ねじ軸部材６４に螺合されたナット６５とを含んで構成され、軸６３は、底面部材５７に固定されている軸受け部材６６によっても支持されている。図１７に示されているように、第１挟着部材６０と第２挟着部材６２との間に第４足場パネル４の横架部材１３，１４を挿入した後に、雄ねじ軸部材６４を第２挟着部材６２の二股部６２Ｂに挿入してナット６５を締め付けることにより、横架部材１３，１４を、丸パイプ材で形成されているこれらの横架部材１３，１４の外面形状と対応して第１挟着部材６０と第２挟着部材６２とに形成されている湾曲状の凹部６０Ａ，６２Ａによって挟着して保持することができる。このため、第２連結具５５における挟着部５８は、横架部材１３，１４を保持することができる保持手段ともなっている。
【００５２】
なお、上述のようにして第１挟着部材６０と第２挟着部材６２とにより第４足場パネル４の横架部材１３，１４を挟着、保持するための挟着部５８には、底面部材５７に上向きに突設されて固定されたピン７３が設けられており、このピン７３の先部が、後述する図２３に示されているように、第４足場パネル４の横架部材１３，１４の下部に形成されている孔１３Ａ，１４Ａに挿入されて、第１挟着部材６０と第２挟着部材６２とがこれらの横架部材１３，１４を挟着、保持するようになっている。
【００５３】
図１６及び図１７に示されているように、第２連結具５５のフック部５９は、それぞれの本体部材５６によるフック部材６７と、これらのフック部材６７に下向きに開口して形成され、第１足場パネル１の横架部材１３，１４の少なくとも一部が内部に嵌入可能となっている凹部６７Ａと、これらの横架部材１３，１４の外面形状と対応して湾曲状に形成されたそれぞれの凹部６７Ａの下側の最大開口幅となっている開口部の一部又は全部を閉じるための部材であって、横架部材１３，１４を凹部６７Ａの内部で係止ロック状態とするために、それぞれのフック部材６７ごとに設けられたロック部材６８とを含んで構成されている。それぞれのロック部材６８は、これらのロック部材６８に湾曲状に形成された長孔６８Ａと、この長孔６８Ａに挿入されてフック部材６７に固定されている２個のピン６９，７０とによる案内作用により、フック部材６７に対して遊動自在となっており、また、長孔６８Ａの一部には、２個のピン６９，７０のうち、下側のピン７０が挿入可能となっている凹部６８Ｂが、長孔６８Ａからフック部材６７の凹部６７Ａとは反対側へ突出した状態で設けられている。そして、ピン６９，７０には、長孔６８Ａと凹部６８Ｂからの抜け出し防止のための大径頭部６９Ａ，７０Ａが設けられている。
【００５４】
このため、それぞれのロック部材６８は、凹部６７Ａの下側の開口部の一部又は全部を閉じるための位置から、この開口部の全部を開けるための位置との間において、フック部材６７に対して遊動可能となっている。
【００５５】
また、本実施形態では、それぞれのフック部材６７ごとに設けられていて、第１足場パネル１と第４足場パネル４の短辺部の長さ方向である横架部材１３，１４の長さ方向に２個設けられているロック部材６８は、これらのロック部材６８の下部において、架け渡し部材７１により連結されている。このような２個のロック部材６８と架け渡し部材７１は、金属板の打ち抜き及び折り曲げ加工により形成された１個の製品となっており、ロック部材６８と架け渡し部材７１との接続部がこの製品の折り曲げ部となっている。そして、２個のロック部材６８を連結するために、第１足場パネル１と第４足場パネル４とに設けられている横架部材１３，１４の長さ方向の寸法を有している架け渡し部材７１は、厚さ方向が上下方向であって、幅方向が第１足場パネル１と第４足場パネル４の隣接配置方向になったものとなっている。
【００５６】
また、本実施形態の第２連結具５５には、２個の本体部材５６をフック部５９側の端部で連結することで第２連結具５５の強度を大きくするための連結手段７２が設けられ、この連結手段７２は、軸部が２個の本体部材５６に形成された孔に挿入されたボルト７２Ａと、一方の本体部材５６の孔から突出した軸部の端部に螺合されたナット７２Ｂ（図１８を参照）と、２個の本体部材５６の間に挿入され、ボルト７２Ａの軸部の外周に嵌合された筒状のスペース部材７２Ｃとを含んで構成されたものになっている。
【００５７】
図１９と図２０には、ロック部材６８を操作することによってロック部材６８がフック部材６７に対して遊動したときの第１作動時の状態と、第２作動時の状態とが示されている。図１９の第１作動時には、２本のピン６９，７０のうち、ピン６９が湾曲状の長孔６８Ａに挿入しており、ピン７０は凹部６８Ｂに挿入しているため、架け渡し部材７１が設けられているロック部材６８の下部により、フック部材６７に形成されている凹部６７Ａの下側の開口部のうち、半分又は略半分が閉じられており、これにより、第２連結具５５を、第１足場パネル１の横架部材１３，１４の上に載せることができる。この後にロック部材６８を操作すると、ロック部材６８は図２０の第２作動時の状態になり、この第２作動時には、２本のピン６９，７０は湾曲状の長孔６８Ａに挿入しているため、ロック部材６８と架け渡し部材７１は、凹部６７Ａの下側の開口部の全体を開放し、このため、第２連結具５５の落下により、第１足場パネル１の横架部材１３，１４をフック部材６７の凹部６７Ａの内部に嵌入させることができる。この後にロック部材６８は、自身の重量と架け渡し部材７１の重量とにより、２本のピン６９，７０が湾曲状の長孔６８Ａに挿入された状態を維持して、回動しながら下降するため、図１７に示されている状態となる。
【００５８】
このときには、架け渡し部材７１が設けられているロック部材６８の下部により、フック部材６７に形成されている凹部６７Ａの下側の開口部の一部が塞がれるため、第１足場パネル１の横架部材１３，１４は、フック部材６７の凹部６７Ａの内部において、ロック部材６８により係止ロックされた状態となる。このため、第２連結具５５におけるフック部５９は、前述した挟着部５８と同様に、横架部材１３，１４を保持することができる保持手段ともなっている。
【００５９】
このため、水平方向である前後方向に互いに隣接配置される第１足場パネル１と第４足場パネル４とを連結するための本実施形態の第２連結具５５には、第１足場パネル１と第４足場パネル４とに長さ方向が水平方向の左右方向となって設けられている横架部材１３，１４を保持することができる２個の保持手段が、挟着部５８及びフック部５９として設けられていることになる。
【００６０】
なお、本実施形態の第２連結具５５におけるフック部５９は、２個設けられているフック部材６７のそれぞれにロック部材６８を遊動自在に配置したものとなっているが、これらのロック部材６８は架け渡し部材７１により連結されているため、２個のロック部材６８うち、一方のロック部材６８を操作すると、他方のロック部材６８は連動して遊動することになり、このため、これらのロック部材６８についての操作を容易に行える。このような作用効果を得るための架け渡し部材は、本体部材５６の上側を越えて２個のロック部材６８の上部を連結するものとしてもよい。
【００６１】
図２１には、図１及び図２の仮設吊り足場６を形成するための第１〜第４足場パネル１〜４のうち、第２〜第４足場パネル２〜４についての配置の位置関係が示されており、これらの第２〜第４足場パネル２〜４を含む図１及び図２で示されている第１〜第４足場パネル１〜４が図１及び図２のように配置されることにより、仮設吊り足場６が形成される。この仮設吊り足場６を形成するためには、前述したスターターパネルとなっている第１足場パネル１Ａと第３足場パネル３とを、後述するように第１連結具４５により連結する作業と、それぞれの足場パネルの短辺部の長さ方向である左右方向に並設される複数個の第１足場パネル１を、第１接続部材３５と第２接続部材３６と接続具３７により接続する作業と、第４足場パネル４を、それぞれの足場パネルの長辺部の長さ方向となっている前後方向における第４足場パネル４の前後両側に配置された第１足場パネル１に第２連結具５５により連結する作業と、第４足場パネル４に対し、スターターパネルとなっている第１足場パネル１Ａ及び第３足場パネル３とは反対側に配置される第１足場パネル１と第２足場パネル２とを第１連結具４５により連結する作業とが実施される。
【００６２】
以上の作業を次に詳細に説明すると、本実施形態では、図１及び図２の仮設吊り足場６に図３の開口部７を形成するための前述した接続部材無し足場パネルとなっている第４足場パネル４は、合計３個用いられる。これらの第４足場パネル４は、第４足場パネル４の短辺部の長さ方向である左右方向に並設されるとともに、３個の第４足場パネル４についての上記短辺部の長さ方向両側には、第２足場パネル２と第３足場パネル３が配置され、この配置作業は、第２足場パネル２に設けられている第１接続部材３５を第４足場パネル４の側とは反対側に向けて、また、第３足場パネル３に設けられている第２接続部材３６を第４足場パネル４の側とは反対側に向けて、それぞれ行われる。これにより、上記左右方向に配置される第２〜第４足場パネル２〜４は、第２足場パネル２と第３足場パネル３との間に３個の第４足場パネル４が入れられて配置されることになり、そして、これらの第２〜第４足場パネル２〜４は、図１の吊り下げ部材５で吊り下げられながら、上述の左右方向にすき間がない又は殆どない状態で隣接配置される。
【００６３】
また、それぞれの第４足場パネル４について、第４足場パネル４の長辺部の長さ方向となっている前後方向における第４足場パネル４の前後両側には、図１に示されているように、２個の第１足場パネル１が配置され、さらに、１個の第３足場パネル３の前後両側にも、２個の第１足場パネル１が配置されるとともに、１個の第２足場パネル２の前後方向の両側にも、２個の第１足場パネル１が配置される。それぞれの足場パネルの短辺部の長さ方向となっている左右方向に並設される第１足場パネル１同士は、第１接続部材３５と第２接続部材３６と接続具３７で接続され、また、前後方向に並設される第１足場パネル１と第２足場パネル２、及び第１足場パネル１と第３足場パネル３は、図１５で示した第１連結具４５により連結され、また、前後方向に並設される第１足場パネル１と第４足場パネル４は、図１６等で示した第２連結具５５により、図２２に示されているように連結される。
【００６４】
第２連結具５５によって第１足場パネル１と第４足場パネル４とを連結することは、図７、図８及び図２１に示されているように、第４足場パネル４の長辺部の長さ方向の両端部の箇所又は両端部に近い箇所に設けられている横架部材１３，１４のそれぞれに第２連結具５５を２個ずつ配置し、これらの第２連結具５５の横架部材１３，１４での配置を、図２３に示されているように、それぞれの第２連結具５５の挟着部５８で第４足場パネル４の横架部材１３，１４を挟着、保持して行うとともに、横架部材１３に配置された前側の第２連結具５５のフック部５９に、第４足場パネル４の前後両側に配置された２個の第１足場パネル１のうち、前側に配置された第１足場パネル１の横架部材１４をロック部材６８により係止ロックし、横架部材１４に配置された後側の第２連結具５５のフック部５９に、第４足場パネル４の前後両側に配置された２個の第１足場パネル１のうち、後側に配置された第１足場パネル１の横架部材１３をロック部材６８により係止ロックして行う。
【００６５】
なお、上述したように第４足場パネル４の横架部材１３，１４のそれぞれに２個ずつの第２連結具５５を配置し、これらの第２連結具５５の横架部材１３，１４での配置を、図２３に示されているように、それぞれの第２連結具５５の挟着部５８で第４足場パネル４の横架部材１３，１４を挟着、保持して行う際には、それぞれの第２連結具５５の挟着部５８にはピン７３が立設されていて、これらのピン７３は、第４足場パネル４の横架部材１３，１４の下部に形成されている孔１３Ａ，１４Ａに挿入されるため、横架部材１３，１４が、前述したように、これらの横架部材１３，１４の長さ方向と直交する方向の断面が円形の円形断面部材となっている丸パイプ材で形成されていても、ピン７３と孔１３Ａ，１４Ａとによって形成された回動阻止手段７５により、それぞれの第２連結具５５が挟着部５８で挟着、保持された横架部材１３，１４を中心に上下方向に回動することは阻止される。
【００６６】
なお、第２連結具５５に設けられたピン７３と、第４足場パネル４の横架部材１３，１４に設けられた孔１３Ａ，１４Ａとにより形成される回動阻止手段７５は、第２連結具５５に前述したように２個設けられている保持手段のうちの１個の保持手段となっている挟着部５８と、第４足場パネル４に前述したように円形断面部材として設けられている横架部材１３，１４とを、凸部と凹部により凹凸嵌合させるための凹凸嵌合手段ともなっている。そして、ピン７３は、この凹凸嵌合手段のうちの凸部として、挟着部５８を構成する下側の第１挟着部材６０に設けられ、孔１３Ａ，１４Ａは、凸部が嵌合するために、凹凸嵌合手段に設けられた凹部として、断面円形部材となっている横架部材１３，１４の下部に設けられている。そして、挟着部５８を構成する上側の第２挟着部材６２を下側の第１挟着部材６０に対して軸６１を中心に回動させた後に、雄ねじ軸部材６４に螺合されたナット６５の締め付けを行うことにより、ピン７３と孔１３Ａ，１４Ａとを確実に凹凸嵌合させて、挟着部５８により横架部材１３，１４を挟着、保持できる。
【００６７】
以上の説明から分かるように、第４足場パネル４に、第１足場パネル１と異なり、第４足場パネル４の短辺部の長さ方向に隣接配置される第２足場パネル２や第３足場パネル３と接続される第１及び第２接続部材３５，３６が設けられていなくても、第４足場パネル４が、この第４足場パネル４の上に載った作業者等の重量によって第１足場パネル１との間で上下の段差が生ずる回動の動きをすることは、上述の凹凸嵌合手段となっている回動阻止手段７５により阻止できることになる。
【００６８】
また、第２連結具５５のフック部５９において、第１足場パネル１の横架部材１３，１４を係止ロック状態としているロック部材６８を操作することでこの係止ロック状態を解除すると、第４足場パネル４を第２連結具５５により第１足場パネル１から分離することができる。また、この分離を行うと、上述したように第４足場パネル４には、第４足場パネル４の短辺部の長さ方向に隣接配置される第２足場パネル２や第３足場パネル３と接続される第１及び第２接続部材３５，３６が設けられていないため、第４足場パネル４を図１及び図２の仮設吊り足場６から上側へ取り外すための作業を、第１及び第２接続部材３５，３６の影響を受けることなく、実施することができ、このため、第４足場パネル４のこの取り外し作業を行うことにより、仮設吊り足場６に図３で示した開口部７を上下に貫通させて形成することができ、この開口部７を通して、建材や機材の物品等を地上から仮設吊り足場６まで持ち上げたり、仮設吊り足場６から地上に降ろしたりする作業を行うことが可能となる。
【００６９】
また、仮設吊り足場６から取り外された第４足場パネル４を、開口部７の箇所において、上から下へ降ろして、第４足場パネル４を第１足場パネル１に第２連結具５５で再び連結することにより、開口部７を第４足場パネル４により塞ぐことができる。
【００７０】
以上のように仮設吊り足場６に図３の開口部７を形成するために第４足場パネルを上側へ取り外すための作業や、開口部７を第４足場パネル４により塞ぐためにこの第４足場パネル４を上から下に降ろすための作業は、第４足場パネル４の横架部材１３，１４を、第２連結具５５に保持手段として設けられている挟着部５８により挟着、保持したままの状態で行われるため、上述の作業は第２連結具５５を第４足場パネル４に取り付けた状態で行われる。
【００７１】
このため、開口部７を第４足場パネル４により塞ぐためにこの第４足場パネル４を上から下に降ろすための作業を行う際に、第２連結具５５のロック部材６８を図１９で示した第１作動時の状態にしておき、次いで、ロック部材６８を図２０で示した第２作動時の状態とすることにより、第２連結具５５を第４足場パネル４と共に上から降ろす作業を行うことによって開口部７を第４足場パネル４により塞いで、第２連結具５５により第１足場パネル１と第４足場パネル４とを連結する作業を行うことができ、この連結作業は、第２連結具５５のフック部材６７に下向きに開口して形成された凹部６７Ａに第１足場パネル１の横架部材１３，１４を嵌入する作業であるため、第２連結具５５により第１足場パネル１と第４足場パネル４とを連結する作業を短時間で容易に行える。
【００７２】
このように第２連結具５５を第４足場パネル４に取り付けておくことで実施する第２連結具５５と第４足場パネル４とを上から降ろす作業は、図１及び図２で示した仮設吊り足場６を第１〜第４足場パネル１〜４により形成するときも行われ、このため、この仮設吊り足場６を形成するための作業も短時間で容易に実施することができる。
【００７３】
また、前述したように本実施形態の第２連結具５５では、ロック部材６８は２個設けられていて、これらのロック部材６８は架け渡し部材７１により連結されているため、２個のロック部材６８のうち、一方のロック部材６８を操作すると、他方のロック部材６８は連動して遊動するため、それぞれのロック部材６８を図１９の第１作動時の状態と図２０の第２作動時の状態にするための操作を容易に行える。
【００７４】
なお、図２３に示されているように、第４足場パネル４において、横架部材１３，１４は、下部が長辺部材１１，１２の下端部から下方へ突出して第４足場パネル４に配置されている。また、横架部材１３，１４の両端部を長辺部材１１，１２に結合するためにこれらの横架部材１３，１４に両端部に設けられている端部部材１５の上面には、丸パイプ材で形成される横架部材１３，１４の外面形状と対応した湾曲状の凹部１５Ａが設けられている。このような構成は、第１足場パネル１が示されている図１５から分かるように、第１〜第３足場パネル１〜３についても共通している。
【００７５】
本実施形態の第４足場パネル４は、図７、図８及び図２１に示されているように、第４足場パネル４の横架部材１３，１４のそれぞれに、この第４足場パネル４に対して取り付け、取り外し可能となっている２個の第２連結具５５が予め取り付けられて、図１の仮設吊り足場６が構築される作業現場に運ばれている。このように第４足場パネル４の横架部材１３，１４のそれぞれに２個の第２連結具５５が予め取り付ける作業は、例えば、仮設足場のための各種の部材を貯溜する場所等において、それぞれの第２連結具５５の挟着部５８で横架部材１３，１４を挟着、保持させる作業を実施することにより行われ、この作業は、第２連結具５５の挟着部５８に上向きに立設されたピン７３を横架部材１３，１４の下部に形成された孔１３Ａ，１４Ａに挿入して実施されるため、ピン７３と孔１３Ａ，１４Ａとによる回動阻止手段７５により、それぞれの第２連結具５５は、第４足場パネル４に対して平行状態又は略平行状態の姿勢を維持した状態となって、この第４足場パネル４の横架部材１３，１４に取り付けられることになる。
【００７６】
このため、図１の仮設吊り足場６を構築する作業現場では、第２連結具５５は、吊り下げ部材５で吊り下げされた第４足場パネル４と一体化されているとともに、この第４足場パネル４に対して平行状態又は略平行状態の姿勢を維持した状態となって、吊り下げ部材５による下降作業によって降ろされることになり、このため、第２連結具５５により第１足場パネル１と第４足場パネル４とを連結する作業を、第２連結具５５のロック部材６８が配置されているフック部５９において、第１足場パネル１の横架部材１３，１４をロック部材６８の操作により係止ロック状態とするだけの作業を実施することにより行うことができ、このため、この作業を短時間で簡単に行える。
【００７７】
なお、仮設吊り足場６を構築する作業現場において、上述したように第２連結具５５を、吊り下げ部材５で吊り下げされた第４足場パネル４と一体化させ、この第４足場パネル４に対する平行状態又は略平行状態の姿勢を維持させた状態とさせて、吊り下げ部材５による下降作業によって降ろすときには、ロック部材６８は、図１９で示した第１作動時の状態となっているため、第４足場パネル４の横架部材１３，１４に予め取り付けられているそれぞれの第２連結具５５は、第１足場パネル１の横架部材１３，１４の上に乗り、この後に、前述したようにロック部材６８を操作すると、ロック部材６８は図２０で示した第２作動時の状態になり、次いで、ロック部材６８は図１７で示した状態になるため、第２連結具５５を第４足場パネル４と共に下降させることにより、第２連結具５５のフック部５９で第１足場パネル１の横架部材１３，１４を自ずと係止ロック状態とすることができる。
【００７８】
また、前述したように仮設吊り足場６に図３の開口部７を形成するために、この仮設吊り足場６から第４足場パネル４を取り外すための作業は、第２連結具５５のフック部５９での第１足場パネル１の横架部材１３，１４の係止ロック状態をロック部材６８の操作により解除し、第２連結具５５を、吊り下げ部材５による上昇作業によって吊り上げられる第４足場パネル４と一体化させて仮設吊り足場６から取り外すことにより実施できる。このため、この作業も短時間で簡単に行える。
【００７９】
さらに、この後に、第４足場パネル４によって開口部７を再び塞ぐための作業も、第２連結具５５を、吊り下げ部材５による下降作業により第４足場パネル４と一体化させて上から下に降ろすことにより実施できるため、この作業も短時間で簡単に行える。
【００８０】
なお、上述したように第４足場パネル４の取り外しにより仮設吊り足場６に図３の開口部７を形成したときには、この開口部７の全部又は一部を囲む手摺りを、第１〜第３足場パネル１〜３に設けられている図４〜図６の長寸法ナット２４を利用して仮設足場パネル６に設置してもよい。このような手摺りは、例えば、ナット２４に螺合された雄ねじ棒が下端に結合されている複数本の支柱を足場パネル１〜３に立設し、これらの支柱にチェーンやロープ等の紐状部材や、棒状部材、又はパネルを架け渡すことにより形成することができる。
【００８１】
前述したように、第４足場パネル４の横架部材１３，１４には予め第２連結具５５が取り付けられており、このように第２連結具５５が横架部材１３，１４に予め取り付けられた第４足場パネル４を図１及び図２で示されている仮設吊り足場６の構築作業現場へ輸送車両で搬送等するときには、図２４に示されているように、複数個の第４足場パネル４が、前述した蓋部材２１を開けた状態にして又は閉じた状態にして、上下に段積みされた状態で搬送等されるため、複数個の第４足場パネル４を上下に段積みした段積み構造体の全体の上下寸法を小さくすることが求められる。
【００８２】
ところで、それぞれの第４足場パネル４での横架部材１３，１４の高さ方向における配置位置は、図２３で説明したように、横架部材１３，１４の下部が長辺部材１１，１２の下端部から下方へ突出した位置となっている。しかし、横架部材１３，１４の両端部を長辺部材１１，１２に結合するためにこれらの横架部材１３，１４の両端部に設けられている端部部材１５の上面には、丸パイプ材で形成される横架部材１３，１４の外面形状と対応した湾曲状の凹部１５Ａが設けられている。このため、複数個の第４足場パネル４を上下に段積みする際には、図２４に示されているように、それぞれの第４足場パネル４を上下を逆にして上下に段積みすることにより、下段の第４足場パネル４の横架部材１３，１４の一部を、上段の第４足場パネル４の端部部材１５の上面に形成された凹部１５Ａに嵌入させることができ、これにより、複数個の第４足場パネル４を上下に段積みした段積み構造体の全体の上下寸法を小さくすることができる。
【００８３】
また、図２３には、第４足場パネル４の横架部材１３，１４に取り付けられることにより、第１足場パネル１と第４足場パネル４とを連結しているときの第２連結具５５についての第４足場パネル４での高さ位置が示されており、このときの第２連結具５５、及び第４足場パネル４の横架部材１３，１４に予め取り付けられていて、第１足場パネル１と第４足場パネル４とを連結する以前における第２連結具５５は、前述した回動阻止手段７５により第４足場パネル４に対して平行状態又は略平行状態の姿勢を維持した状態となっている。第４足場パネル４の高さ寸法はＨ１であり、雄ねじ軸部材６４を含む第２連結具５５の高さ寸法はＨ２であり、第４足場パネル４に取り付けられたときの第２連結具５５の上端の高さ位置は、第４足場パネル４の上端よりも低い位置となっているため、第２連結具５５の下端は、第４足場パネル４の下端から上下寸法Ｈ３分だけ下方へ突出している。
【００８４】
このような第４足場パネル４における第２連結具５５の高さ位置を考慮して、本実施形態に係る第４足場パネル４では、図７に示されているように、横架部材１３に２個配置される第２連結具５５についての配置位置を、第４足場パネル４の短辺部の長さ方向である左右方向の中央部の位置Ｎから左右方向に寸法Ｗ１と寸法Ｗ２の分だけずれた位置としており、また、横架部材１４に２個配置される第２連結具５５について配置位置も、第４足場パネル４の左右方向の中央部の位置Ｎから左右方向に寸法Ｗ１と寸法Ｗ２の分だけずれた位置としている。そして、図７に示されているように、第４足場パネル４に合計４個配置されている第２連結具５５のうち、一方の長辺部材１１に近い位置に配置されている２個の第２連結具５５の配置位置は、上記左右方向における同じ位置であり、他方の長辺部材１２に近い位置に配置されている２個の第２連結具５５の配置位置も、上記左右方向における同じ位置であり、そして、横架部材１３，１４のそれぞれに２個ずつ配置されている第２連結具５５は、上記左右方向の中央部の位置Ｎの両側に配置されている。
【００８５】
このような横架部材１３，１４における第２連結具５５の配置位置は、第２連結具５５に設けられているピン７３と共に前述した回動阻止手段７５を構成するために横架部材１３，１４に設ける孔１３Ａ，１４Ａの位置を、これらの横架部材１３，１４の長さ方向のどの位置に設けるかにより設定することができる。
【００８６】
本実施形態の上述した寸法Ｗ１と寸法Ｗ２は、第４足場パネル４の表裏を変えずに、この第４足場パネル４について、第４足場パネル４の長辺部の長さ方向となっている前後方向における前後の向きを逆とする変更を行ったときに、４個の第２連結具５５の配置位置が、変更前の４個の第２連結具５５の配置位置と同じにならない寸法に設定されている。
【００８７】
このため、図２４で示されているように、複数個の第４足場パネル４を上下に段積みする際に、上下に隣接する２個の第４足場パネル４について、前後方向における前後の向きを互いに逆とした向きにして、これらの第４足場パネル４を段積みすると、上下に隣接する２個の第４足場パネル４において、前述したように、これらの第４足場パネル４に予め取り付けられているそれぞれの第２連結具５５に第４足場パネル４からの上下寸法Ｈ３分だけの突出量があっても、これらの第４足場パネル４における第２連結具５５が上記左右方向にずれることになって、互いに干渉しないことになり、このため、上下寸法Ｈ３の影響を受けることなく、複数個の第４足場パネル４を上下に段積みした段積み構造体の全体の上下寸法を小さくすることができる。
【００８８】
また、上下に段積みされたそれぞれの第４足場パネル４では、それぞれの第２連結具５５は、前述の回動阻止手段７５により第４足場パネル４に対して平行状態又は略平行状態の姿勢を維持した状態となっているため、この点でも上記段積み構造体の全体の上下寸法を小さくすることができる。
【００８９】
図２５には、別実施形態に係る第２連結具１５５が示されている。この第２連結具１５５でも、フック部５９を形成するために、２個のフック部材６７のそれぞれについてロック部材１６８が設けられているとともに、これらのロック部材１６８は、ロック部材１６８の下部において、架け渡し部材１７１により連結されているが、第１足場パネル１と第４足場パネル４とに設けられている横架部材１３，１４の長さ方向の寸法を有しているこの架け渡し部材１７１は、厚さ方向が第１足場パネル１と第４足場パネル４の隣接配置方向となっていて、幅方向が上下方向となっているものである。そして、２個のロック部材１６８と架け渡し部材１７１は、金属板の打ち抜き及び折り曲げ加工により形成された１個の製品となっており、ロック部材１６８と架け渡し部材１７１との接続部がこの製品の折り曲げ部となっている。
【００９０】
この実施形態の第２連結具５５によると、ロック部材１６８が、横架部材１３，１４が嵌入されたフック部材６７の凹部６７Ａの下側の開口部の少なくとも一部を閉じたときに、架け渡し部材１７１の上端部を横架部材１３，１４に当接させることが可能となり、この架け渡し部材１７１は、第１足場パネル１と第４足場パネル４とに設けられている横架部材１３，１４の長さ方向の寸法を有しているため、この寸法分だけ、前記実施形態の第２連結具５５よりもロック部材１６８による横架部材１３，１４の係止ロック状態を一層強固にして実現できることになる。
【００９１】
なお、前述したピン７３を省略した第２連結具５５，１５５は、仮設吊り足場６を形成するために前述した第１連結具４５を用いる箇所に、この第１連結具４５の代わりとして用いることもでき、また、図１５の第１連結具４５を構成している２個のクランプ４６のうち、一方のクランプ４６に、第２連結具５５，１５５のピン７３と同様のピンを設けた第１連結具を、第２連結具５５，１５５を用いる箇所に、第２連結具５５，１５５の代わりとして用いてもよい。
【００９２】
図２６には、さらに別実施形態に係る第２連結具２５５が示されている。この第２連結具２５５も、図２３等で示した第２連結具５５と同様に、第１足場パネル１の横架部材１３，１４の少なくとも一部が内部に嵌入可能となっている凹部６７Ａが形成されていて、ロック部材６８と共に横架部材１３，１４を係止ロック状態とするためのフック部材６７を有するものとなっているが、この実施形態の第２連結具２５５では、フック部材６７のためのフック部５９は、第４足場パネル４の長辺部の長さ方向が長さ寸法の方向となっている本体部材２５６に形成されている。この本体部材２５６は第４足場パネル４の短辺部の長さ方向に平行に２個設けられていて、これらの本体部材２５６は互いに底面部材２５７により連結されており、そして、これらの本体部材２５６と底面部材２５７は、金属板の打ち抜き及び折り曲げ加工により形成された１個の製品となっていて、本体部材２５６と底面部材２５７との接続部が折り曲げ部となっている。
【００９３】
また、それぞれの本体部材２５６には、第４足場パネル４の横架部材１３，１４を貫通させた孔２５６Ａが設けられており、これらの孔２５６Ａに横架部材１３，１４が溶接で結合されている。このため、この実施形態の第２連結具２５５は、第４足場パネル４に結合一体化されたものとなっている。
【００９４】
したがって、この実施形態の第２連結具２５５では、この第２連結具２５５により連結される第１足場パネル１と第４足場パネル４とのうち、第４足場パネル４の横架部材１３，１４を保持する保持手段は、これらの横架部材１３，１４に溶接で結合された本体部材２５６における溶接結合部となっている。
【００９５】
また、図１６等で示した第２連結具５５は、この第２連結具５５を第４足場パネル４の横架部材１３，１４に対して取り付け、取り外し可能とするために、第１挟着部材６０と第２挟着部材６２により横架部材１３，１４を挟着するための挟着部５８を備えたものとなっていたが、第２連結具を、第４足場パネル４の横架部材１３，１４に溶接等で固定された取付部材にボルト、ナット等による止着具で取り付けられるものとするとともに、この止着具の取り外しにより、横架部材１３，１４から取り外すこともできるようにしたものとしてもよい。
【産業上の利用可能性】
【００９６】
本発明は、高速道路などの橋梁や建物等の補修、点検作業等のために、吊り下げ部材によって吊り下げされる複数の足場パネルにより形成される仮設吊り足場を含む仮設足場に利用することができる。
【符号の説明】
【００９７】
１  接続部材付き足場パネルである第１足場パネル
２  第２足場パネル
３  第３足場パネル
４  接続部材無し足場パネルである第４足場パネル
５  吊り下げ部材
６  仮設吊り足場
１１，１２  足場パネルの長辺部を形成している長辺部材
１３，１４  横架部材
４５  第１連結具
５５，１５５，２５５  第２連結具
５８  保持手段である挟着部
５９  保持手段であるフック部
６７  フック部材
６７Ａ  凹部
６８，１６８  ロック部材
６８Ａ  ガイド長孔
６９，７０  ガイドピン
７１，１７１  架け渡し部材
【図１】
2020033727.tif 000003
【図２】
2020033727.tif 000004
【図３】
2020033727.tif 000005
【図４】
2020033727.tif 000006
【図５】
2020033727.tif 000007
【図６】
2020033727.tif 000008
【図７】
2020033727.tif 000009
【図８】
2020033727.tif 000010
【図９】
2020033727.tif 000011
【図１０】
2020033727.tif 000012
【図１１】
2020033727.tif 000013
【図１２】
2020033727.tif 000014
【図１３】
2020033727.tif 000015
【図１４】
2020033727.tif 000016
【図１５】
2020033727.tif 000017
【図１６】
2020033727.tif 000018
【図１７】
2020033727.tif 000019
【図１８】
2020033727.tif 000020
【図１９】
2020033727.tif 000021
【図２０】
2020033727.tif 000022
【図２１】
2020033727.tif 000023
【図２２】
2020033727.tif 000024
【図２３】
2020033727.tif 000025
【図２４】
2020033727.tif 000026
【図２５】
2020033727.tif 000027
【図２６】
2020033727.tif 000028